(57)【要約】      （修正有）【課題】支柱側端部に位置する竪線材が長手方向の少なくとも一部に湾曲又は屈曲した凹部を有するメッシュパネルを支柱に強固に固定できるメッシュフェンスを提供する。【解決手段】本メッシュフェンス１において、メッシュパネル５の支柱３側端部に位置する竪線材１１、１１の凹部１５、１５間に横線材１３が架設してあり、連結具本体１７は一端部を支柱３に固定し他端部を竪線材の凹部１５の内側面に対向して配置してあり、当接体１９は連結具本体１７の他端部に設けてあると共に隣合う竪線材１１、１１の凹部１５、１５に跨って配置し且つ各竪線材１１の凹部１５の内側面に沿う形状を成して凹部１５の内側面に当接しており、フックボルト２１はフック部２１ａが竪線材１１、１１間で横線材１３を係止し軸部２１ｂが当接体１９及び連結具本体１７を貫通してナット２３で連結具本体１７に締結してある。【選択図】図１
2005232762.tif 000002
【特許請求の範囲】
【請求項１】
メッシュパネルと、支柱と、連結具とを備え、メッシュパネルは、支柱側端部に位置し且つ長手方向の少なくとも一部に湾曲又は屈曲した凹部を有する少なくとも２本の竪線材と、隣合う竪線材の凹部間に架設した横線材とを有し、連結具は、連結具本体と、当接体と、フックボルト・ナットとで構成してあり、連結具本体は一端部を支柱に固定し他端部を竪線材の凹部の内側面に対向して配置してあり、当接体は連結具本体の他端部に設けてあると共に隣合う竪線材の凹部に跨って配置し且つ各竪線材の凹部の内側面に沿う形状を成して凹部の内側面に当接しており、フックボルトはフック部が竪線材間で横線材を係止し軸部が当接体及び連結具本体を貫通してナットで連結具本体に締結してあることを特徴とするメッシュフェンス。
【発明の詳細な説明】
【技術分野】
【０００１】
本発明は、メッシュフェンスに関する。
【背景技術】
【０００２】
特許文献１には、直線状の竪線材と横線材とからなるメッシュパネルを連結金具により支柱に固定することが開示されており、連結具は直線状の竪線材を平板状の連結具本体に平板状の保持具で挟むようにして配置し連結具本体と保持具とをボルトナットで締結している。
【０００３】
【特許文献１】特開２００１−９８７９８号公報
【発明の開示】
【発明が解決しようとする課題】
【０００４】
一方、メッシュパネルの支柱側端部に位置する竪線材が長手方向の少なくとも一部に湾曲又は屈曲した凹部を有するものがある。かかるメッシュパネルの凹部を支柱に連結する場合、特許文献１の連結具本体と保持具では竪線材の凹部を連結具に固定することができない。
【０００５】
そこで、本発明は、支柱側端部に位置する竪線材が長手方向の少なくとも一部に湾曲又は屈曲した凹部を有するメッシュパネルを支柱に強固に固定できるメッシュフェンスの提供を目的とする。
【課題を解決するための手段】
【０００６】
請求項１に記載の発明は、メッシュパネルと、支柱と、連結具とを備え、メッシュパネルは、支柱側端部に位置し且つ長手方向の少なくとも一部に湾曲又は屈曲した凹部を有する少なくとも２本の竪線材と、隣合う竪線材の凹部間に架設した横線材とを有し、連結具は、連結具本体と、当接体と、フックボルト・ナットとで構成してあり、連結具本体は一端部を支柱に固定し他端部を竪線材の凹部の内側面に対向して配置してあり、当接体は連結具本体の他端部に設けてあると共に隣合う竪線材の凹部に跨って配置し且つ各竪線材の凹部の内側面に沿う形状を成して凹部の内側面に当接しており、フックボルトはフック部が竪線材間で横線材を係止し軸部が当接体及び連結具本体を貫通してナットで連結具本体に締結してあることを特徴とする。
【発明の効果】
【０００７】
請求項１に記載の発明によれば、凹部の内側面に沿う形状の当接体を隣合う竪線材の凹部に跨って配置するとフックボルトのフック部に横線材を係止して、フックボルトの軸部を支柱に固定する連結具本体にナットで締め付けて締結するので、支柱側端部に位置する少なくとも２本の竪線材が凹部を有するメッシュパネルを支柱に強固に固定できる。
【発明を実施するための最良の形態】
【０００８】
以下に、添付図面を参照して本発明の実施の形態を説明する。図１（ａ）は図３のＡ―Ａ断面図であり（ｂ）は（ａ）に示すＢ部を抜き出して示す断面図であり、図２は図３のＦ−Ｆ断面図であり、図３は本実施の形態にかかるメッシュフェンスの正面図であり、図４は連結具本体の図であり（ａ）は正面図であり、（ｂ）は平面図であり、（ｃ）は側面図であり、（ｄ）は（ａ）に示すＣ−Ｃ断面図であり、図５は当接体の図であり（ａ）は正面図であり、（ｂ）は平面図であり、（ｃ）は側面図であり、（ｄ）は（ｂ）に示すＥ−Ｅ断面図である。
本実施の形態にかかるメッシュフェンス１は、メッシュパネル５と、支柱３と、連結具７とを備えている。
メッシュパネル５は、間隔をおいて列設した複数の竪線材１１と、竪線材１１を繋ぐ横線材１３とを有している。メッシュパネル５の支柱側端部に位置する少なくとも２つの竪線材１１は長手方向に湾曲した凹部１５を有しており、凹部１５は上下方向に設けてあり且つ開きの向きを順次変えるようにして連続して複数設けている。横線材１３は竪線材１１の凹部１５の上下方向略中央部に架設して竪線材１１、１１間を繋いでいる。
連結具７は、メッシュパネル５を支柱３に固定しており、連結具本体１７と、当接体１９とフックボルト２１とナット２３とから構成されている。
連結具本体１７は一端部１７ａが支柱３に固定されており、他端部１７ｂは竪線材１１の凹部１５の内側面１５ａに対向して配置されている。尚、凹部１５の内側面１５ａは凹状を成す面である。連結具本体１７では、支柱３に固定する一端部１７ａが支柱３の外面に沿って湾曲しており且つ一端部１７ａには支柱３に固定するボルト２５の挿通孔２７が形成されている。他端部１７ｂには、フックボルト２１の挿通孔２９が形成されている。尚、連結具本体１７において、支柱３に固定する一端部１７ａには補強用リブ３０が形成されている。
当接体１９は、連結具本体１７の他端部１７ｂに設けてあり、隣合う竪線材１１、１１の凹部１５、１５に跨って配置している。当接体１９は竪線材１１の凹部１５の内面に沿う形状を成しており、上下端には連結具本体１７との嵌合部３１が形成されている。嵌合部３１は溝であり、連結具本体１７の上下端を左右方向から挿入して嵌合するようになっている。
当接体１９の左右には位置ずれ防止部３３が形成されている。位置ずれ防止部３３は竪線材１１側に突設して、跨って配置した竪線材１１、１１間で竪線材１１の凹部１５に係合している。
当接体１９には湾曲した略中央にフックボルト２１の軸部２１ｂを通すボルト挿通孔３６が形成されている。
フックボルト２１は、フック部２１ａを竪線材１１の凹部１５内側から横線材１３に係止しており、軸部２１ｂを当接体１９のフックボルト挿通孔３６と連結具本体１７のフックボルト挿通孔２９に挿通してあり、ナット２３で連結具本体１７の他端部１７ｂに締め付け固定されている。
【０００９】
次に、本実施の形態にかかるメッシュフェンス１の組み立て及び作用効果について説明する。
メッシュフェンス１の組み立ては、当接体１９の嵌合部３１に連結具本体１７の他端部１７ｂを嵌合し、メッシュパネル５において隣合う凹部１５に跨るようにして凹部１５の内側面１５ａに当接体１９を配置する。次に、連結具本体１７のボルト挿通孔２９及び当接体１９のボルト挿通孔３６からフックボルトのフック部２１を挿通して、フック部２１を横線材１３に係止し、軸部２１ｂにナット２３を締結して連結具本体１７に締め付け固定する。
このようにして、メッシュパネル５の左右端側に各連結具本体１７を固定した後、各連結具本体１７の一端部１７ａを支柱３にボルトで固定する。
本実施の形態によれば、竪線材１１の凹部１５には、凹部１５の内側面１５ａに沿う形状の当接体１９を隣合う竪線材１１、１１の凹部１５、１５に跨って配置すると共に、フックボルト２１のフック部２１ａを横線材１３に係止して、フックボルト２１の軸部２１ｂを支柱３に固定する連結具本体１７にナットで締め付けて締結するので、竪線材が凹部１５を有するメッシュパネル５を支柱３に強固に固定できる。
連結具本体１７は当接体１９の嵌合部３１に挿通して嵌合により連結するので、連結具本体１７と当接体１９との固定が容易にできる。
当接体１９には位置ずれ防止部３３が設けてあるので、竪材１１間に当接配置した当接体１９の位置ずれを防止できる。
【００１０】
次に、本発明の他の実施の形態について説明するが、上述の実施の形態と同一の作用効果を奏する部分には同一の符号を付することによりその部分の詳細な説明を省略し、以下に説明する実施の形態では、上述した実施の形態と異なる点を主に説明する。図６に示す第２実施の形態では、竪線材１１の凹部１５はくの字形状を成しており、当接体１９の凹部１５との当接面も凹部１５の形状に沿ってくの字形状になっている。
この第２実施の形態においても上述した実施の形態と同様の作用効果を得ることができる。
【００１１】
本発明は、上述した実施の形態に限らず、本発明の要旨を逸脱しない範囲で種々変形可能である。
例えば、メッシュフェンス１の組み立て順序は、連結具本体１７の一端部１７ａを支柱３に固定してから、当接体１９を連結具本体１７の他端部１７ｂに嵌合した後に当接体１９を凹部１５の内側面に配置してフックボルト２１のフック部２１ａを横線材１３に係止するものであってもよい。
竪線材１１に設けた凹部１５は、竪線材１１の長手方向に間隔をあけて設けたものであってもよいし、竪線材の長手方向に一つだけ設けるものであってもよい。
メッシュパネル５は支柱側端部の竪線材１１のみが凹部１５を有し、それ以外の竪線材、例えばメッシュパネル５の左右の支柱側端部間に位置する竪線材は直線状の竪線材であってもよい。
当接体１９に設けた位置ずれ防止部３３はなくてもよいし、位置ずれ防止部３３を設ける場合には竪線材１１が嵌まる凹み状としてもよい。
連結具本体１７と当接体１９とはボルトやねじにより固定するものであってもよい。
また、当接体１９は連結具本体１７に一体に設けてもよい。
【図面の簡単な説明】
【００１２】
【図１】（ａ）は図３のＡ―Ａ断面図、（ｂ）は（ａ）に示すＢ部を抜き出して示す断面図である。
【図２】図３のＦ−Ｆ断面図である。
【図３】本実施の形態にかかるメッシュフェンスの正面図である。
【図４】連結具本体の図であり、（ａ）は正面図であり、（ｂ）は平面図であり、（ｃ）は側面図であり、（ｄ）は（ａ）に示すＣ−Ｃ断面図である。
【図５】当接体の図であり、（ａ）は正面図であり、（ｂ）は平面図であり、（ｃ）は側面図であり、（ｄ）は（ｂ）に示すＥ−Ｅ断面図である。
【図６】第２実施の形態にかかるメッシュフェンスを図１（ｂ）と同じ箇所を抜き出して示す断面図である。
【符号の説明】
【００１３】
１      メッシュフェンス
３      支柱
５      メッシュパネル
７      連結具
１１    竪線材
１３    横線材
１５    凹部
１５ａ  内側面
１７    連結具本体
１７ａ  一端部
１７ｂ  他端部
１９    当接体
２１    フックボルト
２１ａ  フック部
２１ｂ  軸部
２３    ナット
【図１】
2005232762.tif 000003
【図２】
2005232762.tif 000004
【図３】
2005232762.tif 000005
【図４】
2005232762.tif 000006
【図５】
2005232762.tif 000007
【図６】
2005232762.tif 000008